(57)【要約】【課題】  左右の重量バランスがとれた操作性のよい携帯用ブロワを提供する。【解決手段】  電池パック４で駆動されるモーターを動力源とする携帯用ブロワ１であって、モータをその内部に内蔵し携帯用ブロワ１の左右方向の一方側に突出したモータハウジング２ｍと、グリップ部３と、ファンが組み込まれる送風部５と、ファンからの風を吹き出す吹き出し口６と、電池パック４を取り付ける電池パック取り付け部８とを有する携帯用ブロワ１において、電池パック４は、携帯用ブロワ１の左右方向においてモータハウジング２ｍの反対側へ偏位して配置されるとともに、電池パック取り付け部８にはフック２０が設けられており、フック２０の内側面Ｆと送風部５に設けられた吸い込み口１０の端面１０ａとが略同一面上に位置する構成とした。【選択図】図２
2011111793.tif 000002
【特許請求の範囲】
【請求項１】
電池パックで駆動されるモーターを動力源とする携帯用ブロワであって、該モータをその内部に内蔵し該携帯用ブロワの左右方向の一方側に突出したモータハウジングと、グリップ部と、ファンが組み込まれる送風部と、該ファンからの風を吹き出す吹き出し口と、該電池パックを取り付ける電池パック取り付け部とを有する携帯用ブロワにおいて、該電池パックは、該携帯用ブロワの左右方向において該モータハウジングの反対側へ偏位して配置されるとともに、該電池パック取り付け部にはフックが設けられており、該フックの内側面と該送風部に設けられた吸い込み口の端面とが略同一面上に位置することを特徴とする携帯用ブロワ。
【発明の詳細な説明】
【技術分野】
【０００１】
本発明は電池パックを備えた携帯用ブロワにおいて、左右の重量バランスがとれた操作性のよい携帯用ブロワに関するものである。
【背景技術】
【０００２】
従来から、ごみ等を吹き飛ばしたり吸い込んだりして掃除をする携帯用ブロワが知られている。図５、図６は特許文献１に開示の従来の携帯用ブロワ１００であり、電池パック１１０の電力によりモータハウジング１６０に内蔵されたモータでファンを回転させ、生じた空気流によって、吹き出し口１３０からノズル１２０を経由して噴射したり、図示しない集塵袋を吹き出し口１３０に取り付け、ノズル１２０を吸い込み口１４０に取り付けて、発生させた空気流により吸い込んだゴミを集塵袋に捕獲することにより掃除をするものである。１５０はグリップ部であり、作業者はこのグリップ部１５０を握って清掃作業を行うのである。
【先行技術文献】
【特許文献】
【０００３】
【特許文献１】意匠第１３０２９９１号公報
【発明の概要】
【発明が解決しようとする課題】
【０００４】
しかし、上記の構成では、モータを内蔵したモータハウジング１６０が携帯用ブロワ１００の左右方向の一方側へ出ているので、左右方向において重量バランスが悪く操作性がよくないという問題があった。
【０００５】
本発明は、上記の問題を解決するものであり、左右の重量バランスがとれた操作性のよい携帯用ブロワを提供するものである。
【課題を解決するための手段】
【０００６】
上記の目的を達成するために、電池パックで駆動されるモーターを動力源とする携帯用ブロワであって、モータをその内部に内蔵し携帯用ブロワの左右方向の一方側に突出したモータハウジングと、グリップ部と、ファンが組み込まれる送風部と、ファンからの風を吹き出す吹き出し口と、電池パックを取り付ける電池パック取り付け部とを有する携帯用ブロワにおいて、電池パックは、携帯用ブロワの左右方向においてモータハウジングの反対側へ偏位して配置されるとともに、電池パック取り付け部にはフックが設けられており、フックの内側面と送風部に設けられた吸い込み口の端面とが略同一面上に位置する構成とした。
【発明の効果】
【０００７】
本発明によれば、上記の構成としたので、左右の重量バランスがとれた操作性のよい携帯用ブロワを提供することが可能となる。
【図面の簡単な説明】
【０００８】
【図１】本発明にかかる携帯用ブロワの正面図である。
【図２】図１のおけるＸ矢視図である。
【図３】図１のおけるＹ矢視図である。
【図４】本発明にかかる携帯用ブロワの斜視図である。
【図５】従来の携帯用ブロワの正面図である。
【図６】従来の携帯用ブロワの平面図である。
【発明を実施するための形態】
【０００９】
以下、本発明を実施するための好適な実施形態について、図面に基づいて説明する。
【実施例１】
【００１０】
以下の説明では、説明の便宜のために携帯用ブロワ１の使用状態に応じた方向を定義することとする。すなわち、図１乃至図３にて図示するように、吹き出し口６が設置される側を「前」、グリップ部３側を「後」、モータハウジング２ｍ側を「右」、吸い込み口１０側を「左」と呼ぶこととする。
【００１１】
図１乃至図４に図示する本実施形態に係る携帯用ブロワ１は、左右一対の半割り形状のハウジング部材を重ね合わせて組み立てたハウジング２の中に、不図示のファンやモータを組み込んで作られている。ハウジング２は、モータを内蔵するモータハウジング２ｍ、携帯用ブロワ１の使用者が手で握るグリップ部３、ファンが組み込まれた送風部５、ファンからの風が出る吹き出し口６、グリップ部３と送風部５を連結する連結部７、電池パック４を取り付ける電池パック取り付け部８で構成されており、電池パック取り付け部８はグリップ部３の長手方向下端に位置していて、グリップ部３と送風部５を連結する働きも兼ねている。９は吹き出し口６の先に取り外し自在に装着されたノズルである。１０はファンが外部の空気を吸い込む送風部５に形成された吸い込み口であり、携帯用ブロワ１をバキュームとして使用する場合は、ここにノズル９を装着し、吹き出し口６にはノズル９の代わりに不図示の集塵袋を装着する。
【００１２】
図２乃至図３で明らかなように、吸い込み口１０の反対側において、モータハウジング２ｍが携帯用ブロワ１の右側に突出して配置されている。一点鎖線Ａはグリップ部３の左右方向の中心を示し、同じく一点鎖線Ｂは電池パック４の左右方向の中心を示しているが、両者は間隔Ｃだけ離れており、電池パック４の中心Ｂはグリップ部３の中心Ａより左方向へ偏位している。このように電池パック４をモータハウジング２ｍの反対側に偏位して位置させることにより左右方向の重心の位置を一点鎖線Ａ上に位置させることができバランスをとることが可能となる。
【００１３】
フック２０は電池パック取り付け部８へネジ２１で取り付けられており、壁に設けられたホルダー等へひっかけて携帯用ブロワ１を保管したり、作業者の腰のベルトにひっかけて運搬したりするものであるが、側面視略Ｕ字状で、外側面Ｅ，内側面Ｆ，底部Ｇから主に成り、外側面Ｅと内側面Ｆは略平行で、内側面Ｆは電池パック４の側面４ａに略平行で両者は接近して配置されている。
【００１４】
内側面Ｆは左右方向において吸い込み口１０の端面１０ａと略同一面上に位置するよう設計するのが望ましい。なぜなら、本実施形態においては端面１０ａは携帯用ブロワ１の左側において一番突出している部分であるから、内側面Ｆが端面１０ａより右方向に位置すると端面１０ａが邪魔となりフックとしての機能を十分に果たせなくなり、逆に、内側面Ｆが端面１０ａより左方向に位置するとフックとしての機能は果たせるが携帯用ブロワ１全体が大きくなり都合が悪いこととなるからである。したがって、内側面Ｆが端面１０ａと略同一面上に位置できるように、電池パック４の偏位量（間隔Ｃ）はその点を考慮した適切な設計が必要である。
【００１５】
以上のように構成された携帯用ブロワ１を使用する作業者は、たとえば右手でグリップ部３を握って作業をするわけであるが、モータを内蔵したモータハウジング２ｍの反対側に電池パック４が偏位しているので、左右の重量バランスがとれ操作性よく作業を行うことが可能である。また、フック２０の内側面Ｆと吸い込み口１０の端面１０ａとが略同一面上に位置しているので、携帯用ブロワ１全体が必要以上に大きくなることなく、フック２０はその機能を十分果たすことができる。
【００１６】
本発明による携帯用ブロワ１は、上述した実施の形態に限定されず、特許請求の範囲に記載した範囲で種々の変形や改良が可能である。
【産業上の利用可能性】
【００１７】
この発明は、携帯用ブロワについて有用である。
【符号の説明】
【００１８】
１  携帯用ブロワ、２  ハウジング、２ｍ  モータハウジング、３  グリップ部、４  電池パック、５  送風部、６  吹き出し口、８  電池パック取り付け部、９  ノズル、１０  吸い込み口、１０ａ  端面、２０  フック、Ｆ  内側面
【図１】
2011111793.tif 000003
【図３】
2011111793.tif 000004
【図２】
2011111793.tif 000005
【図６】
2011111793.tif 000006
【図４】
2011111793.tif 000007
【図５】
2011111793.tif 000008